(57)【特許請求の範囲】
【請求項１】
ディスク状記録媒体が収容されたケースを保持するための保持部材と、
前記ディスク状記録媒体の受取人に関する情報を記載するためのラベルと、
前記保持部材に保持された前記ケースの所定位置に前記ラベルが貼付された状態で前記保持部材を収容するための封筒とを備え、
前記封筒には、前記保持部材に保持された前記ケースの所定位置に貼付された前記ラベルを外部から見るための窓部が形成され、
前記封筒は、前記保持部材を収容して封緘された状態において表面および裏面が周辺から中央にかけてほぼ四角錐台状にそれぞれ変形するように構成され、
前記保持部材は、前記ケースを収容保持するための凹部を有し、且つ前記封筒の外形形状とほぼ相似な外形形状を有することを特徴とする封筒ユニット。
【請求項２】
前記封筒には、所定のパターンに基づいて型押しが形成されていることを特徴とする請求項１に記載の封筒ユニット。
【請求項３】
前記ラベルには、前記受取人の名前および前記受取人の識別コードが記載されていることを特徴とする請求項１または２に記載の封筒ユニット。
【発明の詳細な説明】
【０００１】
【発明の属する技術分野】
本発明は、ディスク状記録媒体の送付用封筒ユニットに関し、特にＣＤ−ＲＯＭなどを関連するマニュアルとともに送付するのに好適な封筒ユニットに関するものである。
【０００２】
【従来の技術】
近年、コンピュータ通信やインターネットを利用したオンライン商取引などの発達に伴って、通信ソフトなどが記録されたＣＤ−ＲＯＭのような記録媒体を関連するマニュアルとともに会員もしくは顧客に大量に送付するケースが増えている。この場合、ＣＤ−ＲＯＭのような記録媒体は、所定のケースに収容された状態で送付されることが多い。
【０００３】
【発明が解決しようとする課題】
従来、所定のケースに収容されたＣＤ−ＲＯＭのようなディスク状の記録媒体を関連するマニュアルとともに大量に送付するのに適した封筒は提案されていない。
【０００４】
本発明は、前述の課題に鑑みてなされたものであり、所定のケースに収容されたＣＤ−ＲＯＭのようなディスク状記録媒体を関連するマニュアルとともに大量に送付するのに適した封筒ユニットを提供することを目的とする。
【０００５】
【課題を解決するための手段】
前記課題を解決するために、本発明では、ディスク状記録媒体が収容されたケースを保持するための保持部材と、
前記ディスク状記録媒体の受取人に関する情報を記載するためのラベルと、
前記保持部材に保持された前記ケースの所定位置に前記ラベルが貼付された状態で前記保持部材を収容するための封筒とを備え、
前記封筒には、前記保持部材に保持された前記ケースの所定位置に貼付された前記ラベルを外部から見るための窓部が形成され、
前記封筒は、前記保持部材を収容して封緘された状態において表面および裏面が周辺から中央にかけてほぼ四角錐台状にそれぞれ変形するように構成され、
前記保持部材は、前記ケースを収容保持するための凹部を有し、且つ前記封筒の外形形状とほぼ相似な外形形状を有することを特徴とする封筒ユニットを提供する。
【０００６】
本発明の好ましい態様によれば、前記封筒には、所定のパターンに基づいて型押しが形成されている。さらに、前記ラベルには、前記受取人の名前および前記受取人の識別コードが記載されていることが好ましい。
【０００７】
【発明の実施の形態】
本発明の封筒ユニットは、保持部材と、ラベルと、封筒とから構成されている。保持部材は、たとえばＣＤ−ＲＯＭのようなディスク状記録媒体が収容されたケースを保持するための部材である。また、ラベルは、ディスク状記録媒体の受取人に関する情報として、たとえば受取人の名前や識別コードを記載するためのラベルであって、保持部材に保持されるケースの所定位置に貼付される。こうして、保持部材に保持されたケースの所定位置に記載済みのラベルが貼付された状態で、保持部材は封筒の中に収容される。
【０００８】
なお、封筒には所定位置に窓部が形成されており、この窓部を介して、封筒の中に収容された保持部材に保持されたケースに貼付されたラベルを外部から見ることができるように構成されている。したがって、封筒を封緘した後も受取人に関する情報を外部から目視で確認することができるだけでなく、必要に応じて、窓部を介して受取人に関する情報を読み取り、読み取った情報に基づいて配送処理を円滑に進めることができる。
【０００９】
また、封筒には、たとえば所定のパターンに基づいて型押しが形成され、保持部材を収容して封緘された状態において表面および裏面が周辺から中央にかけてほぼ四角錐台状にそれぞれ変形するように構成されている。したがって、封筒を封緘した状態において、保持部材を封筒内に安定的に収容保持することができる。特に、保持部材がケースを収容保持するための凹部を有し且つ封筒の外形形状とほぼ相似な外形形状を有する場合、封筒の窓部とケースに貼付されたラベルとの位置合わせが容易になり且つ位置ずれしにくくなる。この場合、必要に応じて、関連するマニュアルや説明書などを保持部材とともに封筒内に収容することもできる。
【００１０】
本発明の実施形態を、添付図面に基づいて説明する。
図１は、本発明の実施形態にかかる封筒ユニットの保持部材およびラベルの構成を概略的に示す図である。また、図２は、本発明の実施形態にかかる封筒ユニットの封筒の構成を概略的に示す図である。
なお、本実施形態では、ある団体がその多数の会員の各々に対して通信ソフト用のＣＤ−ＲＯＭを関連するマニュアルとともに送付する場合を想定している。
【００１１】
図１に示すように、本実施形態の封筒ユニットは、各会員に送付すべきＣＤ−ＲＯＭ（図中破線で示す）１が収容された矩形状のケース２を保持するための保持部材３を備えている。そして、保持部材３は全体として矩形形状を有し、その中央部には図１において参照番号３ａで示すような形状の凹部が形成されている。この一定の深さを有する凹部３ａの中央にケース２を嵌め込むことにより、ケース２は保持部材３の凹部３ａにしっかりと収容保持された状態になる。
【００１２】
図３は、図１の線Ａ−Ａに沿った断面図であって、保持部材の構成を説明するための図である。
図３に示すように、保持部材３は、たとえば３枚の段ボールのような外形形状が矩形状の板厚紙３１〜３３を重ねて構成されている。ここで、最上層の板厚紙３１および３２の中央には所定形状の開口部が形成され、この一対の板厚紙３１および３２により保持部材３の凹部３ａが構成されている。一方、最下層の板厚紙３３には開口部が形成されておらず、この板厚紙３３により保持部材３の底部が構成されている。
【００１３】
また、本実施形態の封筒ユニットは、会員に関する情報すなわちＣＤ−ＲＯＭ１の受取人に関する情報を記載するためのラベル４を備えている。ラベル４には、図１に示すように、会員の名前４ａが印字され、且つ会員の識別コードに対応するバーコード４ｂが印画されている。会員の名前４ａおよび識別バーコード４ｂが記載されたラベル４は、保持部材３の凹部３ａにしっかりと収容保持されたケース２の所定位置に貼付される。あるいは、記載済みのラベル４をケース２に予め貼付した後に、ケース２を保持部材３の凹部３ａの中央に嵌め込んでもよい。
【００１４】
さらに、本実施形態の封筒ユニットは、保持部材３の凹部３ａに収容保持されたケース２の所定位置にラベル４が貼付された状態で保持部材３を収容するための封筒５を備えている。封筒５は、図２に示すように、保持部材３の外形形状とほぼ相似な外形形状を有し、たとえば適当な厚さを有する紙から構成されている。また、図２（ａ）に示すように、封筒５の表面側には、収容された保持部材３に保持されたケース２の所定位置に貼付されたラベル４を外部から見るための窓部５ａが形成されている。なお、窓部５ａは、単なる矩形状の開口部であってもよいし、その開口部を透明なフィルム（あるいは光透過フィルム）などで覆った構成でもよい。
【００１５】
さらに、封筒５の表面側および裏面側には、図２（ａ）および（ｂ）において破線で示すような所定のパターンに基づいた型押し５ｂおよび５ｃがそれぞれ形成されている。ここで、型押し５ｂおよび５ｃは、紙を折り曲げ易くする作用を有することはいうまでもない。その結果、封筒５では、図２（ｃ）に示すように、保持部材３および関連するマニュアル６を収容して封緘された状態において、表面５ｄおよび裏面５ｅが周辺から中央にかけてほぼ四角錐台状にそれぞれ変形する。
【００１６】
以上のように、本実施形態において、封筒５には所定位置に窓部５ａが形成されており、この窓部５ａを介して、封筒５の中に収容された保持部材３に保持されたケース２に貼付されたラベル４を外部から見ることができる。したがって、封筒５を封緘した後も受取人としての会員に関する情報を外部から目視で確認することができる。また、必要に応じて、窓部５ａを介して会員に関する情報を読み取り、読み取った情報に基づいて封筒５の配送処理を円滑に進めることができる。
【００１７】
また、封筒５が保持部材３を収容して封緘された状態において、その表面５ｄおよび裏面５ｅが周辺から中央にかけてほぼ四角錐台状にそれぞれ変形するように構成されている。したがって、封筒５を封緘した状態において、保持部材３およびマニュアル６を封筒５内に安定的に収容保持することができる。すなわち、封筒５の窓部５ａとケース２に貼付されたラベル４との位置合わせが容易になり且つ位置ずれしにくくなる。
【００１８】
なお、上述の実施形態では、ＣＤ−ＲＯＭを送付する例を示しているが、たとえばＤＶＤ−ＲＯＭ、ＭＯ、ＦＤなどのような他のディスク状記録媒体の送付に本発明を適用することもできる。
また、上述の実施形態では、紙で封筒を形成した例を示しているが、他の適当な可撓性材料で封筒を形成することもできる。
【００１９】
さらに、上述の実施形態では、段ボールのような板厚紙を複数枚重ねて保持部材を形成しているが、たとえば発泡スチロールのような他の適当な材料で一体的に保持部材を形成することもできる。また、封筒よりもわずかに小さい形状を有する薄い板状の部材で保持部材を形成し、この薄い板状の保持部材にディスク状記録媒体を何らかの手段（たとえばビニール袋など）により支持させるように構成することもできる。
また、上述の実施形態では、関連するマニュアルを同封しているが、ディスク状記録媒体を収容したケースだけを封入することもできる。あるいは、マニュアル以外の他の説明書などを同封することもできる。
【００２０】
【発明の効果】
以上説明したように、本発明では、所定のケースに収容されたＣＤ−ＲＯＭのようなディスク状記録媒体を関連するマニュアルとともに大量に送付するのに適した封筒ユニットを実現することができる。
【図面の簡単な説明】
【図１】本発明の実施形態にかかる封筒ユニットの保持部材およびラベルの構成を概略的に示す図である。
【図２】本発明の実施形態にかかる封筒ユニットの封筒の構成を概略的に示す図である。
【図３】図１の線Ａ−Ａに沿った断面図であって、保持部材の構成を説明するための図である。
【符号の説明】
１    ＣＤ−ＲＯＭ
２    ケース
３    保持部材
４    ラベル
５    封筒
６    マニュアル
【図１】
0004026999.tif 000002
【図２】
0004026999.tif 000003
【図３】
0004026999.tif 000004